(57)【要約】【課題】  蓋体の開放時に、天板上の空間部に蓋体による圧迫感を与えないようにし、かつ蓋体の開放および閉塞時に使用者の指を挟み込む危険性を極力回避できる、天板に蓋体を備えた机を提供すること。【解決手段】  蓋体４の左右側部から垂下する板材１５の内側面に、２つのリンク部材１０，１１の一端部をそれぞれ前後に離間させた位置で回動可能に軸着させ、天板３における後部の左右側部に立設した基部５の内側面に、前記両リンク部材１０，１１の他端部をそれぞれ前後に離間させた位置で回動可能に軸着させ取り付けたものとし、板材１５を基部５よりも上面視で若干外方に位置させ、蓋体４の開閉時に板材１５と基部５間に指が挟まれることを防止する。【選択図】  図４
2006204735.tif 000002
【特許請求の範囲】
【請求項１】
天板と、該天板上に載置された機器を覆う閉塞位置と、該機器の上方が開放される開放位置との間で移動しうる蓋体とを備える机において、前記蓋体の移動手段を、前記蓋体の左右側部から垂下する板材の内側面に、２つのリンク部材の一端部をそれぞれ前後に離間させた位置で回動可能に軸着させ、前記天板における後部の左右側部に立設した基部の内側面に、前記両リンク部材の他端部をそれぞれ前後に離間させた位置で回動可能に軸着させ取り付けたものとし、前記板材を前記基部よりも上面視で若干外方に位置させ、前記蓋体を前記閉塞位置から前記開放位置まで開閉移動させる過程においても、前記両リンク部材の大部分が前記板材外部及び基部から覆われるようにしたことを特徴とする天板に蓋体を備えた机。
【請求項２】
前記蓋体の閉塞位置で前記板材の下端部を前記天板の上面よりも所定間隔上方に位置するようにした請求項１に記載の天板に蓋体を備えた机。
【請求項３】
前記板材の前方側から前記蓋体の内方に向けて前記天板面と略水平になるように手掛部を形成した請求項２に記載の天板に蓋体を備えた机。
【請求項４】
前記基部の内方に支持片を設け、該支持片と前記基部との間に前記両リンクの他端部を軸着させた請求項１乃至３のいずれかに記載の天板に蓋体を備えた机。
【請求項５】
前記支持片の前記両リンク部材の軸着される面と反対面に油圧ダンパーを設け、該油圧ダンパーを前記両リンク部材の少なくともいずれか一方の軸着した軸部に支持させた請求項４に記載の天板に蓋体を備えた机。
【請求項６】
前記蓋体の開放位置を前方に若干前傾させた状態で停止させるようにした請求項１乃至５のいずれかに記載の天板に蓋体を備えた机。
【発明の詳細な説明】
【技術分野】
【０００１】
本発明は、天板と、該天板上に載置された機器を覆う閉塞位置と該機器の上方が開放される開放位置との間で移動しうる蓋体と、を備える机に関する。
【背景技術】
【０００２】
従来の机やテーブル等には、甲板（天板）１に載置された物品を覆うようにして、甲板１上部を閉蓋可能な蓋（蓋体）２が後端部で丁番１１を介して固定され、丁番１１を中心に回動することで蓋２を開閉作動するようにしている。この蓋２には折りたたむことができる腕１５の一端側が枢着され、机の側板１６に該腕の他端側が枢着されている。
【０００３】
このような構成を備えることにより、蓋２の開放時にリンク部材８，９によって支持台３が甲板１の面まで上昇すると共に、腕１５が直線状に伸びて蓋２の後方への回動が阻止される構成となっており、蓋２が開放された甲板内の支持台１５に物品等が載置できるようになっている。（例えば、特許文献１参照）。
【０００４】
近年では２本のリンク部材４，５を前後に平行させて平行リンクを構成し、蓋体１と天板２にそれぞれの一端と他端に枢着させることで、天板２による蓋体１の支持強度の向上および蓋体１の開放時に、蓋体１を天板２より少し後方に位置させて、天板２上の空間部に蓋体１による圧迫感を与えないようにしたものもある。（例えば、特許文献２参照）。
【０００５】
【特許文献１】実全昭５０−９０８０３号公報（第４頁〜第５頁、図４，５）
【特許文献２】特開２００５−６９５９号公報（段落００１８〜段落００２４、図１，２）
【発明の開示】
【発明が解決しようとする課題】
【０００６】
しかしながら、特許文献１にあっては、蓋の開放位置では腕１５のほとんどが外部に露呈された状態になっており、蓋２を甲板１に対して閉蓋させる際に折りたたまれる腕１５に指を挟み込む恐れがあった。
【０００７】
また、特許文献２においても同様に、蓋体１を支持する平行リンク４，５のほとんどの部位が外部に露呈しており、蓋体１を天板２に閉蓋させる際に前後のリンク部材４，５の間隙に指を挟み込む恐れもあった。
【０００８】
本発明は、このような問題点に着目してなされたもので、蓋体の開放時に、天板上の空間部に蓋体による圧迫感を与えないようにし、かつ蓋体の開放および閉塞時に使用者の指を挟み込む危険性を極力回避できる、天板に蓋体を備えた机を提供することを目的とする。
【課題を解決するための手段】
【０００９】
上記課題を解決するために、本発明の請求項１に記載の天板に蓋体を備えた机は、天板と、該天板上に載置された機器を覆う閉塞位置と、該機器の上方が開放される開放位置との間で移動しうる蓋体とを備える机において、前記蓋体の移動手段を、前記蓋体の左右側部から垂下する板材の内側面に、２つのリンク部材の一端部をそれぞれ前後に離間させた位置で回動可能に軸着させ、前記天板における後部の左右側部に立設した基部の内側面に、前記両リンク部材の他端部をそれぞれ前後に離間させた位置で回動可能に軸着させ取り付けたものとし、前記板材を前記基部よりも上面視で若干外方に位置させ、前記蓋体を前記閉塞位置から前記開放位置まで開閉移動させる過程においても、前記両リンク部材の大部分が前記板材外部及び基部から覆われるようにしたことを特徴としている。
この特徴によれば、２つのリンク部材を用いて蓋体を開放しているので、蓋体の開放時に、蓋体を天板より少し後方に位置させることができ、天板上の空間部における蓋体による圧迫感から開放される。また、上面視で基部の外方に板材を近接配置することより、板材と基部間に指が挟まれる危険が回避でき、かつ２つのリンク部材が板材及び基部の内側面側に軸着しているので、蓋体が開閉移動しているとき、両リンク部材が板材及び基部によってほとんど覆うことができ、リンク部材に指を挟むことも回避できる。しかも蓋体の閉塞位置においては、基部やリンク部材が板材によって遮蔽されるので外部からの見栄えも良く、蓋体に鎖錠装置を附帯させれば外部からのいたずら等も防止可能である。
【００１０】
本発明の請求項２に記載の天板に蓋体を備えた机は、請求項１に記載の天板に蓋体を備えた机であって、前記蓋体の閉塞位置で前記板材の下端部を前記天板の上面よりも所定間隔上方に位置するようにしたことを特徴としている。
この特徴によれば、板材の下端と天板上面との間に所定間隔の間隙が形成されるので、この間隙から指先を差し入れることにより、蓋体の開閉を容易に行うことができるとともに、蓋体を閉じた際に、指が板材の下端部と天板上面との間に挟まって怪我をするような事態を回避できる。
【００１１】
本発明の請求項３に記載の天板に蓋体を備えた机は、請求項２に記載の天板に蓋体を備えた机であって、前記板材の前方側から前記蓋体の内方に向けて前記天板面と略水平になるように手掛部を形成したことを特徴としている。
この特徴によれば、蓋体を開放する際に利用者が指で手掛部を持ち上げるることで、蓋体の自重による指への負担を低減でき、より簡便に蓋体の開放作業を行わせることができる。
【００１２】
本発明の請求項４に記載の天板に蓋体を備えた机は、請求項１乃至３のいずれかに記載の天板に蓋体を備えた机であって、前記基部の内方に支持片を設け、該支持片と前記基部との間に前記両リンクの他端部を軸着させたことを特徴としている。
この特徴によれば、両リンク部材の他端部が基部と支持片の両側面間で安定して軸着されるので、両リンク部材の軸着強度を高めることができる。
【００１３】
本発明の請求項５に記載の天板に蓋体を備えた机は、請求項４に記載の天板に蓋体を備えた机であって、前記支持片の前記両リンク部材の軸着される面と反対面に油圧ダンパーを設け、該油圧ダンパーを前記両リンク部材の少なくともいずれか一方の軸着した軸部に支持させたことを特徴としている。
この特徴によれば、油圧ダンパーにより蓋体の急な開閉作動を防止でき、かつ両リンク部材の一方の軸着のための軸部を利用して油圧ダンパーを簡便に取り付けることができる。
【００１４】
本発明の請求項６に記載の天板に蓋体を備えた机は、請求項１乃至５のいずれかに記載の天板に蓋体を備えた机であって、前記蓋体の開放位置を前方に若干前傾させた状態で停止させるようにしたことを特徴としている。
この特徴によれば、蓋体を若干前傾させたことで机の背面側に位置する人と蓋体との接触が極力回避されるとともに、前傾された蓋体により天板上に載置された機器の表示パネルに入り込む上方からの光の一部を遮蔽でき、例えば、機器がノート型パソコンである場合に、表示パネルがより見やすい効果がある。
【発明を実施するための最良の形態】
【００１５】
本発明の実施例を以下に説明する。
【実施例】
【００１６】
図１は、本発明の実施例における机の天板上で蓋体の一部が開放された正面全体像を示す斜視図であり、図２は、机の全ての蓋体が閉じられた背面全体像を示す斜視図であり、
図３（ａ）は、基部に取り付けられる支持片に後部リンク部材や油圧ダンパー等の各部材を取り付ける過程を示す斜視図であり、図３（ｂ）は、各部材が取り付けられた支持片と前部リンク部材を基部に取り付ける過程を示す斜視図であり、図４（ａ）は、支持片やリンク部材が取り付けられた基部と板材の組み立て過程を示す斜視図であり、図４（ｂ）は、基部に板材を組み付けた図４（ａ）のＢ−Ｂ線の要部拡大断面図であり、図５は、蓋体の閉蓋状態を示す図２のＡ−Ａ線の側断面図であり、図６は、蓋体の開放状態を示す側断面図である。
【００１７】
本発明における机は、主としてノート型パソコン等の機器を常設させる学校内の専門教室に設置されるもので、教室の不使用時に机の天板上に設置される機器に蓋体を閉蓋させ、この蓋体を天板にロックさせることで、機器の盗難防止および外部からの破損防止を目的として利用されている。
【００１８】
図１に示されるように机１は、主に一対の脚柱２，２’と、脚柱２，２’の上端に支持固定された天板３と、一対の脚柱２，２’間に設けられた幕板２ａと、天板３上面の長さ方向に沿って並列された３つの蓋体４と、から構成されている。これら３つの蓋体４により天板３が３つに区画されており、各区画毎に機器３０（図５，６参照）を載置可能になっている。
【００１９】
以下、本実施例の説明において、机１の正面側を前方をとし、机１の背面側を後方とし、一方の脚柱２側を左方とし、他方の脚柱２’側を右方として説明する。なお、３つの蓋体４の構造は同一構造であるので、本実施例では、一つの蓋体４の構造について以下に説明し、他の蓋体４，４の説明は割愛する。
【００２０】
そこで蓋体４について説明すると、蓋体４は上面を構成する蓋材４ｅと、蓋材４ｅの下面前端を支持する前面板４ａと、蓋材４ｅの下面の左右に設けられた板材１５，１５と、前面板４ａの背面側に設けられた断面略逆Ｌ字型の係合片４ｂと、から構成されている。この板材１５，１５の後端部には、後で詳述する前部リンク部材１０および後部リンク部材１１の一端側が回動可能に軸支され、天板３上部後方に一対で立設された後述する基部５，５に両リンク部材１０，１１の他端側が軸支されている。蓋体４はこの両リンク部材１０，１１を介して旋回可能な構成となっている。
【００２１】
天板３の後方には各区画毎に上下に貫通する配線孔３ａが形成され、旋錠信号および解錠信号等の各種信号の送受信を行うＬＡＮ等の信号ケーブルと、電力を供給する電気コード等の給電ケーブルと、を含む通信ケーブル２６を挿通させることで、天板３に載置される機器に接続可能になっている。この配線孔３ａと基部５の一部を外部から遮蔽するように、カバー体２０を机１の正面側より取付可能になっており、カバー体２０に形成された切欠溝２０ａを介して配線孔３ａからの通信ケーブル２６が天板３上に配線されている。
【００２２】
天板３の前端部には各区画毎に鍵孔３ｂが設けられており、蓋体４の係合片４ｂの下端中央位置には鍵孔３ｂより若干大きい係合孔４ｃが形成されており、蓋体４の閉塞時に鍵孔３ｂと係合孔４ｃとの位置が略同位置で重なる（図５参照）ようになっている。天板３の前端部の下面には鍵ユニット２２が設けられており、正面右側から施解錠ランプ２２ｂ、全旋錠ランプ２２ａ、および蓋体４を開放不能にロックする電動アクチュエータを備えた施解錠（以下「施解錠」という）２１が設けられている。
【００２３】
図２に示されるように、天板３上面の後方位置からは、背面フレーム１９がやや斜め前方に向けて立設されており、背面フレーム１９によって蓋体４の閉塞時であっても、蓋体４の後方側が外部に開放されないようになっている。この蓋体４の閉塞位置では、機器３０の外周が天板３，蓋材４ｅ，前面板４ａ，係合片４ｂ，背面フレーム１９，板材１５，１５に囲繞されることで機器３０を外部から遮蔽でき、蓋体４を上方に開放しない限り、機器３０を取り出せないようになっている。また蓋体４の閉塞位置では、板材１５および基部５によって前部リンク部材１０および後部リンク部材１１が外部から遮蔽されている。
【００２４】
さらに、蓋材４ｅの上面が天板３の上面に対して略水平になるように、前面板４ａの背面に設けられた係合片４ｂを天板に支持させることで、各蓋体４の蓋材４ｅを天板３の代用として使用することが可能になっている。また、左方位置の蓋体４に対応する背面フレーム１９の左側端部には、背面側からも施解錠状態を確認できるように、施解錠ランプ１９ｂおよび全施錠ランプ１９ａが設けられている。
【００２５】
次に、基部５と前部リンク部材１０および後部リンク部材１１と板材１５との連結構造を図３および図４を用いて詳細に説明する。まず図３（ａ）に示されるように、コ字形状の基部５には底部５ｅと左右に側面部５ｄ，５ｄ’を備え、底部５ｅには上下に貫通するボルト孔５ｂ，５ｂ’が前後に形成され、側面部５ｄ，５ｄ’にはそれぞれ左右に貫通する貫通孔５ａ，５ａ’が形成されている。
【００２６】
基部５の内方に設けられる支持片６には底部６ｅと側面部６ｄを備え、底部６ｅには上下に貫通するボルト孔６ｂ，６ｂ’が前後に形成され、側面部６ｄにはそれぞれ左右に貫通する貫通孔６ａ，６ａ’が前後に形成されており、貫通孔６ａ’の近傍にはネジ穴６ｃ，６ｃ’が形成されている。この側面部６ｄには油圧ダンパー９を取り付け可能になっており、油圧ダンパー９に設けられた回動軸９ａを貫通孔６ａ’に貫通させたのち、２本のネジ１４を油圧ダンパー９のネジ孔９ｂ，９ｂを介して、ネジ穴６ｃ，６ｃ’に螺合させることで固定される。
【００２７】
この油圧ダンパー９の回動軸９ａには、ワッシャー１２を介して後部リンク部材１１の他端部１１ｂに形成された軸孔１１ｂ’が嵌合されている。後部リンク部材１１の一端部１１ａには軸孔１１ａ’が形成されている。
【００２８】
次いで、図３（ｂ）に示されるように、基部５に支持片６を取り付けるには、まず支持片６にネジ１４で油圧ダンパー９を取り付け、回動軸９ａをワッシャー１２を介して後部リンク部材１１の軸孔１１ａに嵌合して一体化する。次に、支持受部材８の受部８ａを貫通孔５ａに軸着させ、貫通孔６ａと受部８ａの位置決めをした状態で、支持軸７の雄ネジ部７ａを基部５の貫通孔５ａより前部リンク部材１０の他端部１０ｂに形成された軸孔１０ｂ’、ワッシャー１２を介し支持片６の貫通孔６ａを通り支持受部材８の受部８ａに形成した雌ネジ部と螺合させる。最後に、２本のボルト１３をそれぞれボルト孔６ｂ，６ｂ’を介してボルト孔５ｂ，５ｂ’に貫通させながら、天板３に螺合させることで基部５に支持片６が取り付けられる。
【００２９】
このとき、支持軸７の軸受部７ｂは前部リンク部材１０の他端部１０ｂを軸孔１０ｂ’を介して回動自在に軸支することができる。なお、前部リンク部材１０の一端部１０ａには軸孔１０ａ’が形成されるとともに、他端部１０ｂの上部位置には後方リンク部材１１との干渉を避けるために凹溝１０ｃが形成されている。
【００３０】
図４（ａ）に示されるように、蓋体４の閉塞位置にあっては、前部リンク部材１０の凹溝１０ｃに後部リンク部材１１の一端部１１ａが収納された状態になっており、両リンク部材１０，１１の軸孔１０ａ’，１１ａ’の位置が天板３に対して略水平に保たれるようになっている。板材１５の内側面１５ｆ後方側からは内方に向けて、両リンク部材１０，１１の軸孔１０ａ’，１１ａ’の離間幅と同じ間隔幅で前後に前部ピン１５ａおよび後部ピン１５ｂが突設されている。
【００３１】
この前部ピン１５ａを軸孔１０ａ’に挿通させ、後部ピン１５ｂを軸孔１１ａ’に挿通させることで、両リンク部材１０，１１を板材１５を取り付けることができ、両リンク部材１０，１１を介して板材１５は基部５に対して回動自在に連結される。板材１５の内側面１５ｆ前方には、内方に向けて前後長手方向に手掛部１５ｄが形成されており、蓋体４の開放時に利用する。また、板材１５の後方の上端には蓋材４ｅを支持する支持部１５ｅが内方に向けて形成されている。
【００３２】
次いで、天板３に蓋体４を閉塞した状態における基部５と板材１５の関係について説明すると、図４（ｂ）に示されるように、板材１５の内側面１５ｆは基部５の側面部５ｄ’と近接された状態で若干外方に位置されており、基部５を外方から遮蔽した位置関係になっている。また、基部５の側面部５ｄ，５ｄ’によって前部リンク部材１０および後部リンク部材１１の他端部１０ｂ，１１ｂ，油圧ダンパー９，支持受部材８等を周囲より遮蔽している。
【００３３】
支持片６を基部５内に設けることにより側面部６ｄによって、前部リンク部材１０および後部リンク部材１１の取り付け間隔幅が狭められ、蓋体４の開閉時に伴う両リンク部材１０，１１の左右へのブレ幅を極力抑えた構成になっている。また、両リンク部材１０，１１の他端部１０ｂ，１１ｂを基部５の側面部５ｄ’と支持片６ｄの両側面間に安定して軸着させることができる。
【００３４】
このように、両リンク部材１０，１１を板材１５及び基部５の内側面側に軸着させ、基部５の外方に板材１５を位置させ、基部５と板材１５との間隔幅を近接させることより、板材１５と基部５との間に生じる間隔幅を極力狭くすることができるので、蓋体４の開閉時に板材１５と基部５間に指が挟まれることが防止されるとともに、板材１５によって両リンク部材１０，１１を外部からほとんど遮蔽できるので、リンク部材１０，１１に指を挟むことも回避できる。しかも蓋体４の閉塞位置においては、基部５やリンク部材１０，１１が板材１５によって遮蔽されるので外部からの見栄えも良く、蓋体４に鎖錠装置を附帯させれば外部からのいたずら等も防止可能である。
【００３５】
さらに、前部リンク部材１０の他端部１０ｂは、左右の側面部５ｄ，５ｄ’間に軸支された支持軸７および支持受部材８で安定して支持され、後部リンク部材１１の他端部１１ｂは油圧ダンパー９の回動軸９ａに嵌合させているので、後部リンク部材１１の回動速度、即ち蓋体４の開閉移動がダンピング作用を持たせることができる。特に蓋体４の閉塞方向の移動速度が大きく規制されるような油圧ダンパー９を使用することで、蓋体の開放は素早く、閉鎖はブレーキが掛かりながら天板４上にゆっくりと載置させることができる。
【００３６】
次に、蓋体４の開閉移動について図５および図６を用いて具体的に説明する。まず、図５に示されるように、蓋体４が天板３上に閉塞された状態では、前面板４ａ背面にネジ等で固定された係合片４ｂが鍵ユニット２２に設けられた施解錠２１により開放不能に保持されている。
【００３７】
施解錠２１には、旋錠信号および解錠信号等の各種信号の送受信を行う信号ケーブルと、電力を供給する給電ケーブルと、を含む通信ケーブル２６が、脚柱２内部に設けられた中継装置２５に各々接続され、施解錠２１に隣接して設けられた全旋錠ランプ２２ａおよび施解錠ランプ２２ｂにも、通信ケーブル２６を介して中継装置２５に各々接続され、施解錠２１の旋錠および解錠に基づき点灯制御されている（図１参照）。背面フレーム１９に設けられた全旋錠ランプ１９ａおよび施解錠ランプ１９ｂにおいても、特に図示しないが通信ケーブル２６を介して中継装置２５に各々接続され点灯制御されている（図２参照）。
【００３８】
この中継装置２５は、本実施例においては特に図示しないが、教室内に設けられた中央制御装置に通信ケーブル２６を介して接続され、中継装置２５と旋錠信号および解錠信号等の各種信号の送受信を相互に行い、蓋体４の閉塞状態では施解錠２１内の電動アクチュエータ２１ｂを駆動させることで、カマ錠２１ａが係合片４ｂに係合され蓋体４が開放不能にロックした状態となる。
【００３９】
この蓋体４の閉塞位置では、予め板材１５の下端部１５ｃの位置が天板３の上面よりも所定間隔上方に位置するように蓋材４ｅに取り付けてあり、この間隔は指が軽くはいる程度の大きさであり、この間隙に指を差し入れて蓋体３の開放を容易に行わせることが可能となる。また、蓋体４を閉じた際に、指が板材１５の下端部と天板３上面との間に挟まって怪我をするような事態も回避できる。
【００４０】
なお、板材１５と天板３との所定間隔幅は、天板３上に載置される機器３０の厚み幅よりも短く形成されており、外部から機器３０を抜き出せない構成になっていることで、蓋体４の閉塞位置のロック状態では機器３０の盗難等が防止される。
【００４１】
閉蓋された蓋体４の開放を行うには、まず中継装置２５による施解錠２１の制御で係合片４ｂからカマ錠２１ａを解錠させたのち、板材１５と天板３の間に指を挿し入れ、さらに指を折り曲げることで手掛部１５ｄに当接させ、この手掛部１５ｄを利用して蓋体４を持ち上げていく。この手掛部１５ｄを利用することで、蓋体４の自重による指への圧力が分散され利用者への負担を低減でき、より簡便に蓋体３の開閉作業を行わせることができる。なお、蓋体４に手掛部が形成されていれば、板材１５の手掛部１５ｄをあえて使用する必要はない。
【００４２】
蓋体４を持ち上げていくに従って、前部リンク部材１０の他端部１０ｂが軸受部７ｂを中心に回動されはじめ、その一端部１０ａも徐々に矢印に示される方向に回動移動する。同時に後部リンク部材１１の他端部１１ｂも回動軸９ａを中心に回動すると同時に、その一端部１１ａが矢印に示される方向に移動する。
【００４３】
そして、図６に示されるように蓋体４は回動制限手段により前方に若干前傾された状態で開放停止させることができる。この回動制限手段は周知のいかなる手段を採用することが可能であり、例えば、リンク部材１０，１１のいずれか一方に回動規制部を形成してもよいし、回動位置規制のある油圧ダンパーを使用してもよいし、蓋体４の後面部側に開放位置で天板と当接する当接材を設けるようにしてもよい。
【００４４】
このように、蓋体４の開放位置を天板３の前方に向かって若干前傾させた状態としたことで、机１の背面側に位置する人と蓋体４との接触が極力回避され、また、前傾された蓋体により天板上に載置された機器の表示パネルに入り込む上方からの光の一部を遮蔽でき、例えば、機器がノート型パソコンである場合に、表示パネルがより見やすい効果がある。
【００４５】
また、２本の両リンク部材１０，１１を用いることにより、蓋体の開放時に蓋体を天板より少し後方に位置させることができ、天板上の空間部における蓋体による圧迫感から開放される。
【００４６】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、基部５内に支持片６を設けることで、両リンク部材１０，１１を両側面部５ｄ’，６ｄ間で軸着させているが、本発明はこれに限定されるものではなく、支持片を設けずに両リンク部材１０，１１を基部５の内側面に軸着させるだけでもよい。
【００４７】
また、上記実施例では、板材１５の内面側に手掛部を設けたが、本発明はこれに限定されるものではなく、板材１５の外側面に手掛部を形成するようにしてもよい。
【００４８】
また、上記実施例では、油圧ダンパー９を後部リンク部材１１側に取り付けて、蓋体４の閉塞速度を制限しているが、、前部リンク部材１０側に油圧ダンパー９を設けるようにしても良い。また、油圧ダンパーに代えてエアーダンパやばね式のダンパーであってもよい。
【００４９】
更に、基部５の強度強化と前部リンク部材１０の支持強化の点から、上記実施例では基部が左右に側面部５ｄ，５ｄ’を有したコ字形状のものを採用しているが、両リンク部材１０，１１を確実に軸着できればいかなる形状であっても良く、例えば、Ｌ字形状やＩ字形状であっても構わない。
【図面の簡単な説明】
【００５０】
【図１】本発明の実施例における机の天板上で蓋体の一部が開放された正面全体像を示す斜視図である。
【図２】机の全ての蓋体が閉じられた背面全体像を示す斜視図である。
【図３】（ａ）は、基部に取り付けられる支持片に後部リンク部材や油圧ダンパー等の各部材を取り付ける過程を示す斜視図であり、（ｂ）は、各部材が取り付けられた支持片と前部リンク部材を基部に取り付ける過程を示す斜視図である。
【図４】（ａ）は、支持片やリンク部材が取り付けられた基部と板材の組み立て過程を示す斜視図であり、（ｂ）は、基部に板材を組み付けた（ａ）のＢ−Ｂ線の要部拡大断面図である。
【図５】蓋体の閉蓋状態を示す図２のＡ−Ａ線の側断面図である。
【図６】蓋体の開放状態を示す側断面図である。
【符号の説明】
【００５１】
１                机
３                天板
３ａ              配線孔
３ｂ              鍵孔
４                蓋体
４ｅ              蓋材
５                基部
５ａ，５ａ’      貫通孔
５ｂ，５ｂ’      ボルト孔
５ｄ，５ｄ’      側面部
５ｅ              底部
６                支持片
６ａ，６ａ’      貫通孔
６ｂ，６ｂ’      ボルト孔
６ｃ，６ｃ’      ネジ穴
６ｄ              側面部
６ｅ              底部
７                支持軸
７ａ              雄ネジ部
７ｂ              軸受部
８                支持受部材
８ａ              受部
８ｂ              先端部
９                油圧ダンパー
９ａ              回動軸
９ｂ              ネジ孔
１０              前部リンク部材
１０ａ            一端部
１０ａ’          軸孔
１０ｂ            他端部
１０ｂ’          軸孔
１０ｃ            凹溝
１１              後部リンク部材
１１ａ            一端部
１１ａ’          軸孔
１１ｂ            他端部
１１ｂ’          軸孔
１５              板材
１５ａ            前部ピン
１５ｂ            後部ピン
１５ｃ            下端部
１５ｄ            手掛部
１５ｅ            支持部
１５ｆ            内側面
１９              背面フレーム
２０              カバー体
３０              機器（パソコン等）
【図１】
2006204735.tif 000003
【図２】
2006204735.tif 000004
【図３】
2006204735.tif 000005
【図４】
2006204735.tif 000006
【図５】
2006204735.tif 000007
【図６】
2006204735.tif 000008